Podtech/llm-jp-corpus-v4-ja_patent huggingface dataset:
【誤訳訂正書】
【提出日】平成30年8月10日(2018.8.10)
【誤訳訂正１】
【訂正対象書類名】特許請求の範囲
【訂正対象項目名】全文
【訂正方法】変更
【訂正の内容】
【特許請求の範囲】
【請求項１】
近位端と、アナログ画像信号を送信する撮像要素を含む遠位端とを備える長尺状の部材と、
前記長尺状の部材の近位端に連結される遠位端を有し、アナログ信号に基づいて劣化したアナログ画像信号を受信し、且つ劣化したアナログ画像信号に基づいて増幅されたアナログ画像信号を送信する近位部材と、を備える医療用画像装置であって、撮像要素によって送信されるアナログ画像信号は、前記近位部材に送信される間に劣化されて、劣化したアナログ画像信号となる信号であり、
前記近位部材と電子的に通信し、増幅されたアナログ画像信号を受信し、且つ処理し、更には増幅されたアナログ画像信号に基づいてデジタル信号を生成する信号処理装置とを備える医療用画像装置。
【請求項２】
前記画像装置は、信号処理装置と電子的に通信するディスプレイをさらに備え、該ディスプレイは、前記信号処理装置で生成されたデジタル信号に基づいてデジタル画像を表示する請求項１に記載の画像装置。
【請求項３】
前記ディスプレイは、前記信号処理装置と無線デジタル通信する請求項２に記載の画像装置。
【請求項４】
前記長尺状の部材は、体管腔をジグザグ状に動くように可撓性を有する遠位部を備える請求項１乃至３のいずれか１項に記載の画像装置。
【請求項５】
前記長尺状の部材は、複数の管腔を備える請求項１乃至４のいずれか１項に記載の画像装置。
【請求項６】
前記撮像要素は、画像装置と、該画像装置によって画像化される体の一部分を照明する１つ以上の照明部材を備える請求項１乃至５のいずれか１項に記載の画像装置。
【請求項７】
前記近位部材は、前記長尺状の部材の動作を制御するハンドルを備える請求項１乃至６のいずれか１項に記載の画像装置。
【請求項８】
前記ハンドルは、劣化したアナログ画像信号を処理し、劣化したアナログ画像信号に基づいて増幅されたアナログ画像信号を信号処理装置に送信するシグナル増幅処理装置を備える請求項７に記載の画像装置。
【請求項９】
前記撮像要素は、小振幅差動信号方式（ＬＶＤＳ）を用いて、アナログ画像信号を前記近位部材に送信する請求項１乃至８のいずれか１項に記載の画像装置。
【請求項１０】
前記画像装置は、前記劣化したアナログ画像信号を検出するセンサをさらに備える請求項１乃至９のいずれか１項に記載の画像装置。
【請求項１１】
前記増幅されたアナログ画像信号は、撮像要素によって生成されて送信されるアナログ画像信号とほぼ同一である請求項１乃至１０のいずれか１項に記載の画像装置。
【請求項１２】
前記画像装置は、前記近位部材に沿って間隔をあけて配置された複数の処理装置をさらに備え、該処理装置の各々は、前記劣化したアナログ画像信号を増幅するように構成される、請求項１１に記載の画像装置。
【請求項１３】
医療装置の遠位部に位置する撮像要素からアナログ信号を送信することと、
前記医療装置の近位部において、送信されたアナログ信号の劣化型である劣化したアナログ画像信号を受信することと、
前記医療装置の近位部において、前記劣化したアナログ信号に基づいて撮像要素によって送信されたアナログ信号とほぼ同一の調整されたアナログ信号を生成することと、
前記調整されたアナログ信号を処理するために、調整されたアナログ信号を外部制御装置に送信することと、
デジタル信号を生成することと、
該デジタル信号に基づいて画像を表示することとから成る、画像データを送信する方法。
【請求項１４】
前記撮像要素から送信されるアナログ信号は、小振幅差動信号方式を用いて送信される請求項１３に記載の方法。
【請求項１５】
前記医療装置の遠位部と近位部の間の位置において、劣化したアナログ信号に基づいて前記撮像要素によって送信されたアナログ信号の電圧よりも電圧値が低い中間的な調整されたアナログ信号を生成することをさらに含む請求項１３または１４に記載の方法。
【誤訳訂正２】
【訂正対象書類名】明細書
【訂正対象項目名】０００８
【訂正方法】変更
【訂正の内容】
【０００８】
追加的に又は代替的に、装置は、１つ以上の以下の要素を備える。信号処理装置とデジタル的／電子的に通信するディスプレイである。ディスプレイは、信号処理装置によって生成されたデジタル信号に基づいてデジタル画像を表示するように構成される。ディスプレイは、信号処理装置と無線デジタル通信を行う。長尺状の部材は、体管腔をジグザグ状に動くように構成された可撓性を有する遠位部を備える。長尺状の部材は、複数の管腔を備える。撮像要素は、画像装置および該画像装置によって画像化される体の一部分を照明するように構成されたひとつ以上の照明部材を備える。近位部材は、長尺状の部材の動きを制御するように構成されたハンドルを備える。該ハンドルは、劣化したアナログ画像信号を処理し、劣化したアナログ画像信号に基づく増幅されたアナログ画像信号を信号処理装置に送信するように構成された信号増幅処理装置を備える。撮像要素は、小振幅差動信号方式（ＬＶＤＳ）を用いてアナログ画像信号を近位部材に送信するように構成される。センサは、劣化したアナログ信号及び／又はその劣化量を検出するように構成される。増幅されたアナログ画像信号は、撮像要素によって生成され、送信されるアナログ画像信号とほぼ同じである。複数の処理装置が、近位部材に沿って間隔をあけて配置され、各処理装置は、劣化したアナログ画像信号を増幅するように構成される。近位部材の近位端において第１処理装置によって生成される増幅された第１アナログ画像信号の電圧は、第１処理装置の遠位側に位置する第２処理装置によって生成される増幅された第２アナログ画像信号の電圧よりも大きくなる。
【誤訳訂正３】
【訂正対象書類名】明細書
【訂正対象項目名】００３６
【訂正方法】変更
【訂正の内容】
【００３６】
本発明に係る医療装置及び方法は、医学的な治療及び／又は診断中に体内を照明し及び／又は可視化することを含む、あらゆる好適な用途に用いることができる。本明細書で説明された如何なる態様も、本明細書で説明された他の態様と共に用いることができる。該装置は、どのような好適な医療施術で使用されてもよく、好適な体内の体管腔及び体腔を通って前進させられてよい。例えば、本明細書で説明される医療装置は、経口的、経腟的、経直腸的、経鼻的、経尿道的等の自然の体管腔または管腔、又はその他の好適な組織の切開口の中を貫通して使用されてもよい。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
医療デバイスに結合された医療器具を追跡するためのシステムであって、前記システムは、
身体内に挿入するための医療デバイスであって、前記医療デバイスの開口を通過し、ツール挿入軸と整列した、医療器具の進行の仮想軸を生成するための協調的な複数の電磁センサを含む追跡コンポーネントを備える医療デバイスと、
追跡空間における仮想軸位置を判定するために、前記複数の電磁センサを追跡する追跡システムと、
前記追跡空間をマッピングするセンサモジュールと
を備える、システム。
【請求項２】
前記追跡システムは、同期電圧検知器を含む、請求項１に記載のシステム。
【請求項３】
視覚映像撮像システムを更に備える、請求項１に記載のシステム。
【請求項４】
前記追跡システムは、ＡＣ電圧計を含む、請求項１に記載のシステム。
【請求項５】
医療器具を追跡するための医療デバイスであって、前記医療デバイスは、
前記医療デバイスを通じて医療器具を受け入れ、搬送するチャンネルであって、前記チャンネルは、前記医療デバイスの遠位部分まで延在し、前記医療デバイスの中心軸と整列していないがツール挿入軸と整列している前記医療デバイスの開口と連通する、チャンネルと、
前記医療器具の進行の仮想軸を生成するための協調的な複数の電磁センサを備える追跡コンポーネントと
を備え、
前記仮想軸は、前記医療デバイスの前記開口を通過し、前記ツール挿入軸と整列している、医療デバイス。
【請求項６】
前記協調的な複数の電磁センサは、第１のコイルと第２のコイルとを備え、前記第１のコイルは前記医療デバイスの前記中心軸と同軸に配置され、前記第２のコイルは前記第１のコイルに対して垂直に配置される、請求項５に記載の医療デバイス。
【請求項７】
前記第１のコイル及び前記第２のコイルのうちの少なくとも一方は、円筒対称である、請求項６に記載の医療デバイス。
【請求項８】
前記第１のコイル及び前記第２のコイルは、円筒対称である、請求項６に記載の医療デバイス。
【請求項９】
前記第１のコイル及び前記第２のコイルは、ワイヤ巻き線のループから成り、前記第１のコイル及び前記第２のコイルのうちの少なくとも一方の前記ループは、前記第１のコイル及び前記第２のコイルのうちの前記少なくとも一方を通過する長さ方向軸に対して略垂直な領域を画定する、請求項６に記載の医療デバイス。
【請求項１０】
前記第１のコイル及び前記第２のコイルは、ワイヤ巻き線のループから成り、前記第１のコイル及び前記第２のコイルの前記ループは、前記第１のコイル及び前記第２のコイルの各々を通過する長さ方向軸に対して略垂直な領域を画定する、請求項６に記載の医療デバイス。
【請求項１１】
前記第１のコイル及び前記第２のコイルは、それぞれＮ１及びＮ２巻きのワイヤ巻き線のループから成り、ここでＮは巻き数であり、
前記第１のコイル及び前記第２のコイルは、それぞれＡ１及びＡ２の断面積を有し、それぞれのコイル感度値Ｓ１及びＳ２は、各それぞれのコイルについてＮ・Ａの乗算した積であり、Ｎ１＞Ｎ２である、請求項６に記載の医療デバイス。
【請求項１２】
前記第１のコイルは前記チャンネルと同心であり、前記第２のコイルは前記チャンネルの側部に位置する、請求項６に記載の医療デバイス。
【請求項１３】
前記第１のコイル及び前記第２のコイルは、電気的に直列に接続される、請求項６に記載の医療デバイス。
【請求項１４】
前記協調的な複数の電磁センサは、並列配置された第１のコイルと第２のコイルとから成る、請求項５に記載の医療デバイス。
【請求項１５】
医療デバイスに結合された医療器具を追跡するための方法であって、前記方法は、
医療デバイスを身体内に挿入するステップであって、前記医療デバイスは、前記医療デバイスの開口を通過し、ツール挿入軸と整列した、医療器具の進行の仮想軸を生成するための協調的な複数の電磁センサを含む追跡コンポーネントを備える、ステップと、
前記追跡コンポーネントから得られた情報を分析し、それによって前記医療デバイスの前記開口を通過する仮想軸を得て、前記仮想軸を医療処置を行うために適した位置及び配向に置くステップと、
前記医療デバイスを通じて前記医療処置を行うために、前記医療処置の部位に前記医療器具を搬送するステップと、
前記仮想軸に沿った前記医療デバイスの前記開口を通って前記医療器具を誘導し、前記医療処置を行うステップと、
前記医療器具を回収するステップと、
患者の身体から前記医療デバイスを取り出すステップと
を備える、方法。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
等温核酸増幅反応におけるサンプル阻害を排除するための水性組成物であって、
有機鉄キレート試薬と、
三価鉄と、
０．００５％（質量／体積）以上の濃度の非イオン性界面活性剤と、を含み、
前記水性組成物は、ｐＨが約８．４５〜８．８５であり、
前記有機鉄キレート試薬は、三価鉄に対する第１の結合定数が１０４．２以上であり、マグネシウムに対する第２の結合定数が１０３．８未満であり、前記第１の結合定数及び前記第２の結合定数は、ｐＨ８．４５及び２０℃の脱イオン水中で判定される、水性組成物。
【請求項２】
前記有機鉄キレート試薬はＥＧＴＡを含み、前記ＥＧＴＡに対する三価鉄のモル比が約０．０４〜約０．２８である、請求項１に記載の水性組成物。
【請求項３】
２−ヒドロキシプロパン−１，２，３−トリカルボキシレートを更に含み、前記有機鉄キレート試薬と前記２−ヒドロキシプロパン−１，２，３−トリカルボキシレートは、別々の分子である、請求項１又は２に記載の水性組成物。
【請求項４】
前記非イオン性界面活性剤は、親水親油バランスが約１１〜約１６である、請求項１〜３のいずれか一項に記載の水性組成物。
【請求項５】
前記非イオン性界面活性剤は、最大で約０．３％（質量／体積）の濃度で存在する、請求項１〜４のいずれか一項に記載の水性組成物。
【請求項６】
前記三価鉄は、前記水性組成物に約５０μＭ〜約３５０μＭの濃度で溶解している、請求項１〜５のいずれか一項に記載の水性組成物。
【請求項７】
ポリビニルピロリドンを更に含む、請求項１〜６のいずれか一項に記載の水性組成物。
【請求項８】
フッ素系界面活性剤を更に含む、請求項１〜７のいずれか一項に記載の組成物。
【請求項９】
指示染料を更に含む、請求項１〜８のいずれか一項に記載の組成物。
【請求項１０】
ａ）請求項１〜９のいずれか一項に記載の組成物を標的サンプルと接触させて、水性混合物を形成することと、
ｂ）工程ａ）の前記水性混合物を熱溶解プロセスに付すことと、
ｃ）工程ｂ）に続き、前記水性混合物の一部を等温核酸増幅プロセスに付すことと、を含む、等温核酸増幅方法。
【請求項１１】
有機鉄キレート試薬と、
三価鉄と、
非イオン性界面活性剤と、を含むキットであって、
前記有機鉄キレート試薬は、三価鉄に対する第１の結合定数が１０４．２以上であり、マグネシウムに対する第２の結合定数が１０３．８未満であり、前記第１の結合定数及び前記第２の結合定数は、ｐＨ８．４５及び２０℃の脱イオン水中で判定される、キット。
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
剛体モデルを自動的にサイズ変更するための、コンピュータによって実施される方法であって、
コンピュータ支援設計システムを用いて、モデルを構築するステップであって、
前記モデルは、二次元モデルおよび三次元モデルの１つであり、
前記モデルは１または複数の剛体を備える、ステップと、
前記剛体の少なくとも１つを、それぞれの剛体を表す幾何プリミティブのセットに変換するステップであって、前記幾何プリミティブは、それぞれの剛体がサイズ変更することを可能にする、ステップと、
前記幾何プリミティブのセットのいくつかの要素を拘束するステップと、
コンピュータプロセッサ上でソルバプロセスを実行するステップであって、
前記ソルバプロセスは、前記それぞれの剛体を表す少なくとも１つの幾何プリミティブのサイズを変化させ、
前記それぞれの剛体を表す前記幾何プリミティブのセットは、ユーザの介入なしに前記サイズにおける前記変化を可能にする、ステップと、
剛体シミュレーションを実行するステップであって、前記１または複数のサイズ変更されたプリミティブは、前記剛体シミュレーションへの入力となる、ステップと
を含むことを特徴とする方法。
【請求項２】
前記幾何プリミティブのそれぞれは、サイズ変更可能な形状を定義するために役立つことを特徴とする請求項１に記載のコンピュータによって実施される方法。
【請求項３】
前記剛体シミュレーションの出力を、前記ソルバプロセスを実行するステップの第２の反復への入力として用いるステップをさらに含むことを特徴とする請求項１に記載のコンピュータによって実施される方法。
【請求項４】
前記幾何プリミティブのセットの要素を拘束するステップは、互いに平行になるように前記要素のサブセットを拘束すること、互いに直角になるように前記要素のサブセットを拘束すること、および前記要素のいくつかの間の所定の角度を維持することの少なくとも１つを達成する制約を追加するステップを含むことを特徴とする請求項１に記載のコンピュータによって実施される方法。
【請求項５】
前記幾何プリミティブのセットにおける各要素は、点、直線、平面、円、平面多角形、円柱、三次元プリズム、およびパラメータで表示可能な面の１つであることを特徴とする請求項１に記載のコンピュータによって実施される方法。
【請求項６】
前記幾何プリミティブのセットは、位置を変化し得る端点を有する直線、直角の制約によって拘束された隣接した辺を有する矩形、指定された角度によって拘束された辺を有する三角形、平面、６つの平面のセット、円柱を表す２つの直角な直線、およびパラメータで表示可能な面の少なくとも１つを備えることを特徴とする請求項１に記載のコンピュータによって実施される方法。
【請求項７】
前記ソルバプロセスによって出力される前記サイズ変更されたプリミティブに対するパラメータ値を選択するステップをさらに含み、
前記パラメータ値は、前記モデルの所望の設計を反映し、
前記パラメータ値は、設計制約である
ことを特徴とする請求項１に記載のコンピュータによって実施される方法。
【請求項８】
データ記憶システムに動作可能に結合されたプロセッサであって、前記データ記憶システムは実世界オブジェクトのモデルを記憶する、プロセッサと、
前記プロセッサに動作可能に結合されたデータ記憶メモリであって、
前記モデルを構築することであって、前記モデルは、１または複数の剛体から構成された二次元モデルおよび三次元モデルの１つである、構築することと、
前記剛体の少なくとも１つを、前記それぞれの剛体を表す幾何プリミティブのセットに変換することであって、前記幾何プリミティブは、それぞれの剛体がサイズ変更することを可能にする、変換することと、
前記幾何プリミティブのセットの１または複数の要素を拘束することと、
コンピュータプロセッサ上でソルバプロセスを実行することであって、前記ソルバプロセスは、前記剛体を表す少なくとも１つの幾何プリミティブのサイズを変化させ、前記剛体を表す前記幾何プリミティブのセットは、ユーザの介入なしに前記サイズにおける前記変化を可能にする、実行することと、
剛体シミュレーションを実行することであって、前記１または複数のサイズ変更されたプリミティブは、前記剛体シミュレーションへの入力となる、実行することと
を行うように前記プロセッサを構成するための命令を備えた、データ記憶メモリと
を備えることを特徴とするコンピュータ支援設計システム。
【請求項９】
前記ソルバプロセスによって出力される前記サイズ変更されたプリミティブに対するパラメータ値を選択するように、前記プロセッサを構成するための命令をさらに備え、
前記パラメータ値は、前記モデルの所望の設計を反映し、
前記パラメータ値は、設計制約である
ことを特徴とする請求項１に記載のコンピュータによって実施される方法。
【請求項１０】
非一時的コンピュータ可読データ記憶媒体であって、コンピュータに、
実世界オブジェクトのモデルを記憶することであって、前記モデルは、１または複数の剛体から構成された二次元モデルおよび三次元モデルの１つである、記憶すること、
前記剛体の少なくとも１つを、前記それぞれの剛体を表す幾何プリミティブのセットに変換することであって、
各幾何プリミティブは、サイズ変更可能な形状を定義し、
前記幾何プリミティブは、それぞれの剛体がサイズを変化することを可能にする、変換すること、
前記幾何プリミティブのセットの１または複数の要素を拘束すること、
コンピュータプロセッサ上でソルバプロセスを実行することであって、
前記ソルバプロセスは、前記幾何プリミティブの少なくとも１つのサイズを変化させ、  前記それぞれの剛体を表す前記幾何プリミティブのセットは、ユーザの介入なしに前記サイズにおける前記変化を可能にする、実行すること、および
剛体シミュレーションを実行することであって、前記１または複数のサイズ変更されたプリミティブは、前記剛体シミュレーションへの入力となる、実行すること
を行わせる命令を備えることを特徴とする非一時的コンピュータ可読データ記憶媒体。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
被験体で遺伝子変異の存在または不在を決定するコンピューターインプリメント方法であって、
（ａ）複数のリードメイトペアを含むペアエンドシーケンスリードセットを取得するステップであって、各ペアが２つのリードメイトを含み、各ペアの２つのリードメイトの少なくともの１つが、所定の対象のゲノム領域を含む参照ゲノムの少なくとも一部にマッピングされ、前記ペアエンドシーケンスリードのいくつかが、前記参照ゲノムの前記少なくとも一部にマッピングされない、ステップと、
（ｂ）前記シーケンスリードセットでパイルアップ関係を決定するステップであって、前記パイルアップ関係が前記セットの２つ以上のリード間の複数のオーバーラップを含む、ステップと、
（ｃ）（ｂ）で決定されたパイルアップ関係に従って１つ以上のコンティグを構築するステップであって、１つ以上のスターターリードの３’位置または５’位置に少なくとも１つヌクレオチドを繰り返し付加するステップを含み、前記付加された少なくとも１つヌクレオチドが、複数のオーバーラップに従って決定されたマジョリティーコンセンサスヌクレオチドである、ステップと、
（ｄ）（ｃ）で構築した１つ以上のコンティグおよび／または（ｃ）で構築したコンティグの２つ以上をブリッジする１つ以上のリードメイトペアに従って１つ以上のスーパーコンティグをアセンブルするステップと、
（ｅ）前記１つ以上のスーパーコンティグに従って遺伝子型尤度比を生成するステップと、
（ｆ）（ｅ）で生成した遺伝子型尤度比に従って遺伝子変異の存在または不在を決定するステップと、
を含む、方法。
【請求項２】
（i）前記セットの第１のリードが前記セットの第２のリードとの第１のオーバーラップを含み、（ii）前記第１のオーバーラップが所定のアライメントスコア閾値よりも大きいアライメントスコアを含み、（iii）前記第２のリードが前記第１のリードの３’末端または５’末端を越えて１つ以上のヌクレオチドを伸長し、かつ（iv）前記第１のオーバーラップが（i）、（ii）、および（iii）を満たす第１のリードと第２のリードとの間のすべての可能なオーバーラップのうち最も高いアライメントスコアを含むように、前記複数のオーバーラップのそれぞれが選択される請求項１に記載の方法。
【請求項３】
前記位置が２つの異なるマジョリティーコンセンサスヌクレオチドを含み、前記コンティグを構築するステップが、前記コンティグのコピーを生成することにより２つの同一の中間コンティグを提供するステップと、異なるヌクレオチドが前記２つの同一の中間コンティグのそれぞれに付加されるように前記２つの異なるマジョリティーコンセンサスヌクレオチドの１つを前記２つの同一の中間コンティグのそれぞれに付加するステップと、を含む；または
前記位置が３つの異なるマジョリティーコンセンサスヌクレオチドを含み、前記コンティグを構築するステップが、前記中間コンティグの２つのコピーを生成することにより３つの同一の中間コンティグを提供するステップと、異なるヌクレオチドが前記３つの同一の中間コンティグのそれぞれに付加されるように前記３つの異なるマジョリティーコンセンサスヌクレオチドの１つを前記３つの同一の中間コンティグのそれぞれに付加するステップと、を含む；または
前記位置が４つの異なるマジョリティーコンセンサスヌクレオチドを含み、前記コンティグを構築するステップが、前記中間コンティグの３つのコピーを生成することにより４つの同一の中間コンティグを提供するステップと、異なるヌクレオチドが前記４つの同一の中間コンティグのそれぞれに付加されるように前記４つの異なるマジョリティーコンセンサスヌクレオチドの１つを前記４つの同一の中間コンティグのそれぞれに付加するステップと、を含む、
請求項１または２に記載の方法。
【請求項４】
前記１つ以上のスーパーコンティグが対象のゲノム領域の全長にまたがるコンティグを含むか、または前記１つ以上のスーパーコンティグが対象のゲノム領域の全長にまたがる、請求項１〜３のいずれか一項に記載の方法。
【請求項５】
前記遺伝子型仮説尤度比が１つ以上のマッピングウェイトに従って決定される、請求項１〜４のいずれか一項に記載の方法。
【請求項６】
前記マジョリティーコンセンサスヌクレオチドが、アライメントされる５個以上のリードに従って決定される、請求項１〜５のいずれか一項に記載の方法。
【請求項７】
前記パイルアップ関係に従ってタイリンググラフを生成するステップを含む、請求項１〜６のいずれか一項に記載の方法。
【請求項８】
前記複数のオーバーラップのそれぞれがｋ−ｍｅｒハッシングストラテジーに従って決定される、請求項１〜７のいずれか一項に記載の方法。
【請求項９】
前記スターターリードが所定の対象のゲノム領域の最も５’側に位置するリードを含むか、または
前記スターターリードが所定の対象のゲノム領域の最も３’側に位置するリードを含む、請求項１〜８のいずれか一項に記載の方法。
【請求項１０】
前記第１のコンティグが複数のリードメイトペアに従って第２のコンティグに連結される、請求項１〜９のいずれか一項に記載の方法。
【請求項１１】
前記遺伝的変異が、ショートタンデムリピートまたは１つ以上の単一ヌクレオチド多型を含む、請求項１〜１０のいずれか一項に記載の方法。
【請求項１２】
前記遺伝的変異が、ＡＲ、ＡＴＸＮ１、ＡＴＸＮ２、ＡＴＸＮ７、ＡＴＸＮ８、ＡＴＸＮ１０、ＤＭＰＫ、ＦＸＮ、ＪＰＨ３、ＣＡＣＮＡ１Ａ、ＰＰＰ２Ｒ２Ｂ、ＴＢＰ、ＡＴＮ１、ＡＲＸ、ＰＨＯＸ２Ｂ、ＰＡＢＰＮ１、ＡＴＴ、ＣＦＴＲ、およびＢＲＡＣＡ１から選択される遺伝子内に含まれる、請求項１〜１１のいずれか一項に記載の方法。
【請求項１３】
前記シーケンスリードが二倍体ヒト被験体から得られる、請求項１〜１２のいずれか一項に記載の方法。
【請求項１４】
前記遺伝子型尤度比を生成するステップが、１つ以上のハプロタイプに従って１つ以上の予想遺伝子型を決定するステップを含み、各ハプロタイプが、対象のゲノム領域の全長にまたがるスーパーコンティグに従って決定される、請求項１〜１３のいずれか一項に記載の方法。
【請求項１５】
実行可能プログラムを記憶した非一時的コンピューター可読記憶媒体であって、プログラムが請求項１〜１４のいずれか一項に記載の方法の実行をマイクロプロセッサーに命令するように構成される、前記記憶媒体。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
モニタリング情報提供装置であって、
- モニタリングされる患者の患者データを得るための患者データ入力部と、
-前記患者に投与される薬物及び前記患者への前記薬物の投与の時間を特定する薬物投与データを得るための薬物特定入力部と、
- 前記特定される薬物の薬物情報を得るための薬物情報入力部であって、前記薬物情報は薬物副作用及び／又は薬物間相互作用及び／又は薬物-病禁忌を含む、薬物情報入力部と、
-前記得られる患者データ、薬物投与データ及び薬物情報に基づいて時間分解モニタリング情報を決定するための処理ユニットであって、前記モニタリング情報はダイナミックに適応され、時間にわたってモニタリングされるのに最もクリティカルな前記患者の一つ又はそれより多くの生理的兆候を示す処理ユニットと、
- 前記決定されるモニタリング情報を出力するための出力インタフェースと
を有する、モニタリング情報提供装置。
【請求項２】
前記処理ユニットは、
- いつ前記生理的徴候の変化が予測されるか、
- どれくらい前記変化が予測されるか、
- それぞれの前記変化はどれくらいクリティカルか、
- 何れの潜在的な薬物副作用、薬物間相互作用、薬-病禁忌及び／又は薬物-食物相互作用が現われ得るか、及び／又は
- これらの前記潜在的な薬物副作用、薬物間相互作用、薬-病禁忌及び／又は薬物-食物相互作用が前記生理的徴候の変化をどのようにもたらすことが予測されるか、前記変化はどれくらい予測されるか、及び／又はそれぞれの前記変化はどれくらいクリティカルか
をさらに示すモニタリング情報を決定するように構成される、請求項１に記載のモニタリング情報提供装置。
【請求項３】
前記決定されるモニタリング情報に基づいて一つ又はそれより多くのセンサによってなされる測定を適応させるために、モニタリングされるのに最もクリティカルであることが決定される一つ又はそれより多くの前記生理的兆候に関連するセンサ信号を提供する、一つ又はそれより多くの前記センサを制御するための制御情報を生成するための制御ユニットを更に有する、
請求項１に記載のモニタリング情報提供装置。
【請求項４】
前記制御ユニットは、前記決定されるモニタリング情報に基づいて、一つ又はそれより多くの前記センサを制御するための制御情報を生成して測定を開始し、特定の時間の間、前記測定を実行し、前記測定周波数を変更し、及び／又は前記測定の他のセッティングを適応させるように構成される、請求項３に記載のモニタリング情報提供装置。
【請求項５】
前記薬物特定入力部は、前記患者に投与される前記薬物の量及び／又は前記投与のルートを更に含む前記薬物投与データを得るように構成される、請求項１に記載のモニタリング情報提供装置。
【請求項６】
前記薬物特定入力部は、前記患者により早く投与され、又は後に投与される、一つ又はそれより多くの更なる前記薬物を特定する更なる前記薬物投与データ並びに一つ又はそれより多くの更なる前記薬物の投与の時間を得るように構成され、
前記処理ユニットは、前記モニタリング情報の前記決定において更なる前記薬物投与データを使うように構成される、
請求項１に記載のモニタリング情報提供装置。
【請求項７】
前記薬物特定入力部は、一つ又はそれより多くの更なる前記薬物の量及び／又は前記投与のルートを更に含む、更なる前記薬物投与データを得るように構成される、請求項６に記載のモニタリング情報提供装置。
【請求項８】
前記患者によって消費される食物並びに前記患者による前記食物の消費の時間、量及び／又はルートを特定する食物消費データを得るための食物特定入力部を更に有し、
前記処理ユニットは、前記モニタリング情報の前記決定において前記食物消費データを使うように構成される、請求項１に記載のモニタリング情報提供装置。
【請求項９】
前記決定されるモニタリング情報によって示される生理的兆候がクリティカルな状態に達する場合、警告を生成して、発するための警告ユニットを更に有し、前記警告ユニットは、前記決定されるモニタリング情報に基づいて、前記決定されるモニタリング情報によって示される前記生理的兆候がクリティカルな状態に達するかを決定するためにそのセッティングを適応させるように構成される、請求項１に記載のモニタリング情報提供装置。
【請求項１０】
前記患者データ入力部は、前記患者のプロフィール、病歴、状態、病状、共存症、腎臓及び肝臓機能、非薬物治療を含む現在の治療法、血液値データ及び／又は他の検査データを含む、前記モニタリングされる患者の患者データを得るように構成される、請求項１に記載のモニタリング情報提供装置。
【請求項１１】
前記患者の一つ又はそれより多くの生理的兆候に関連する一つ又はそれより多くのセンサ信号を得るためのセンサインタフェースを更に有し、前記処理ユニットは、前記モニタリング情報の前記決定において前記センサ信号を使うように構成される、請求項１に記載のモニタリング情報提供装置。
【請求項１２】
画像データを提供するためのイメージングユニット、特にカメラを更に有し、
前記患者データ入力部は、前記画像データから前記患者を特定するように構成され、及び／又は
前記薬物特定入力部は前記画像データから前記患者に投与される前記薬物及び前記患者への前記薬物の投与の時間を特定するように構成され、及び／又は
前記処理ユニットは前記画像データから前記患者の一つ又はそれより多くの生理的兆候を決定し、前記モニタリング情報の前記決定において前記センサ信号を使用するように構成される、
請求項１に記載のモニタリング情報提供装置。
【請求項１３】
モニタリング情報をユーザに提供するための出力装置、特にディスプレイ、拡声器、プリンタ又は送信器を更に有する、
請求項１に記載のモニタリング情報提供装置。
【請求項１４】
モニタリング情報提供方法であって、
- モニタリングされる患者の患者データを得るステップと、
-前記患者に投与される薬物及び前記患者への前記薬物の投与の時間を特定する薬物投与データを得るステップと、
- 前記特定される薬物の薬物情報を得るステップであって、前記薬物情報は薬物副作用及び／又は薬物間相互作用及び／又は薬物-病禁忌を含む、ステップと、
-前記得られる患者データ、薬物投与データ及び薬物情報に基づいて時間分解モニタリング情報を決定するステップであって、前記モニタリング情報はダイナミックに適応され、時間にわたってモニタリングされるのに最もクリティカルな患者の一つ又はそれより多くの生理的兆候を示すステップと、
- 前記決定されるモニタリング情報を出力するステップと
を有する、モニタリング情報提供方法。
【請求項１５】
コンピュータプログラムがコンピュータ上で実行されるとき、請求項１４に記載の方法のステップを前記コンピュータに実行させるためのコンピュータプログラムコード手段を有する、コンピュータプログラム。
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
反応物質の均一溶液を５００℃〜６００℃の初期高温にかけて、溶液中で反応物質の発熱反応を開始することを含む溶液燃焼合成により原料リチウム−マンガン−酸化物（ＬＭＯ）材料を製造し、
要すれば、電気化学セル中でカソード材料として使用した時にＬＭＯスピネル材料の性能を向上し得るドーパントを導入し、
要すれば、前記原料ＬＭＯ材料をマイクロ波処理に掛けて処理材料を得て、
前記原料ＬＭＯ材料または前記処理材料をアニールして、アニール材料を得て、かつ
要すれば、前記アニール材料をマイクロ波処理に掛けてリチウム−マンガン−酸化物（ＬＭＯ）スピネル材料を得るに際し、マイクロ波処理が少なくとも一回行われることを特徴とするリチウム−マンガン−酸化物スピネル材料の製造方法。
【請求項２】
前記原料ＬＭＯ材料が１〜１００ｎｍの直径または断面の大きさを有する粉末または顆粒の形態を有する、請求項１記載の製造方法。
【請求項３】
前記反応物質が、硝酸リチウム、酢酸リチウム、硫酸リチウムおよび／または炭酸リチウムから選択されるリチウム化合物；および硝酸マンガン、酢酸マンガン、硫酸マンガンおよび／または炭酸マンガンから選択されるマンガン化合物を含有する請求項２記載の製造方法。
【請求項４】
水が溶媒として使用され、溶液が水溶液である請求項３記載の製造方法。
【請求項５】
均一溶液が反応用の燃焼助剤または燃料を含む請求項４記載の製造方法。
【請求項６】
リチウム化合物、マンガン化合物および燃料を水中で溶解することを含む、請求項５記載の製造方法。
【請求項７】
前記溶液および原料ＬＭＯ材料または生成物をそのまま５００℃〜６００℃の高温に掛けることを継続し、その間発熱反応または自己持続性反応が起こることを含む請求項６記載の製造方法。
【請求項８】
ドーパントが存在する際に、製造方法が溶解したアルミニウム化合物を溶液にドーパントとして添加することを含む請求項２〜７いずれか１項に記載の製造方法。
【請求項９】
前記マイクロ波処理または照射が原料ＬＭＯ材料および／またはアニール材料を１０〜３０分間マイクロ波処理することを含む請求項１〜８いずれかに記載の製造方法。
【請求項１０】
原料ＬＭＯ材料または処理材料のアニールが材料の結晶化をするのに十分高い６００℃〜８００℃の温度で行われ、アニールの所望の程度が達成される８〜１２時間行われる請求項１〜９いずれか１項に記載の製造方法。
【請求項１１】
請求項２に記載の製造方法で得られ、ナノスケールの大きさの顆粒または粒子を含むＬＭＯスピネル材料。
【請求項１２】
セルハウジング、カソード、アノードおよびセルハウジング中の電解質を含む電気化学セルであって、該カソードがアノードと電気的に絶縁されているが、電気化学的には電解質によって結合されていて、かつカソードが請求項１１に記載のＬＭＯスピネル材料を含有する電気化学セル。
【請求項１３】
セルハウジング、カソード、アノードおよび電解質がセルに掛けられる充電電圧を掛けてカソードからリチウムがアノードの少なくとも一部に形成されることを可能にするように配置され、セルが充電および放電中に平均マンガン原子価状態が約３．５＋以上である請求項１２記載の電気化学セル。
【請求項１４】
セルハウジング中に電解質、アノードおよびカソードを充填し、カソードが請求項１１のＬＭＯスピネル材料を含有する、電気化学セルの製造方法。
【請求項１５】
電気化学セルの操作方法であって、その方法が、
請求項１３の電気化学セルに充電電圧を掛けて、カソードからのリチウムをアノードの一部に形成し、かつ
セルの放電電圧がリチウム金属に対して３．５〜４．３Ｖになり、平均マンガン原子価状態がセルの充電または放電時に約３．５＋以上である前記方法。
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
開放面が形成されたハウジングと、
前記ハウジングの内部に配置され、互いに電気的に結合する第１基板と第２基板と、
前記開放面に向くように前記第１基板に実装される光源と、
前記第２基板の端部に結合して外部電源と連結されるソケットの端子に接触する端子部と、
前記開放面を覆うように前記ハウジングに結合するレンズと、を含み、
相互結合する通電用スロットと通電用ピンを介して前記第２の基板は前記第１基板に垂直に結合する、車両用ランプ。
【請求項２】
前記通電用スロットは、前記第１の基板の両側面に配置され、前記通電用ピンは前記第２の基板の上端部から延長配置される、請求項１に記載の車両用ランプ。
【請求項３】
前記端子部は前記ソケットの端子と接触する接触面と、前記接触面の両側面で下向き延長配置されるガイド面と、前記接触面に延長配置される本体面を含む端子片を含む、請求項１に記載の車両用ランプ。
【請求項４】
前記本体面は前記接触面と違う平面上に配置され、前記本体面と前記接触面は傾斜の連結面で連結される、請求項３に記載の車両用ランプ。
【請求項５】
前記本体面は、第１の本体面と第２の本体面を含み、
前記第１の本体面は、前記接触面の後面から延長配置され、
前記第２の本体面は、前記接触面の前面から延長配置される、請求項４に記載の車両用ランプ。
【請求項６】
前記端子部は前記第１本体面の端部で下向き折り曲げられて延長配置されて前記第２基板の端部に配置された第１係止溝に差し込まれる第１係止面を含む、請求項５に記載の車両用ランプ。
【請求項７】
前記ハウジングは下端部に配置されて前記接触面が外部に露出するように前記端子部が挿入される端子装着部を含む、請求項６に記載の車両用ランプ。
【請求項８】
前記端子片は前記第２本体面の端部で下向き折り曲げられて延長形成されて前記端子装着部に形成された第２係止溝に差し込まれる第２係止面を含む、請求項７に記載の車両用ランプ。
【請求項９】
前記端子装着部は前記ガイド面の終端と接触する第１装着面と前記第１装着面の下端から延長形成され、下を向くほど高さが増加するように傾斜して形成される第２装着面を含む、請求項７に記載の車両用ランプ。
【請求項１０】
前記第２係止溝は前記第２装着面の下端に配置される、請求項９に記載の車両用ランプ。
【請求項１１】
２個の前記端子装着部が並列で並べられる、請求項９に記載の車両用ランプ。
【請求項１２】
２個の前記端子装着部は前記接触面の露出方向が相異する、請求項１１に記載の車両用ランプ。
【請求項１３】
２個の前記端子装着部は前記接触面の露出方向が相互反対である、請求項１２に記載の車両用ランプ。
【請求項１４】
前記端子部は前記第２基板に前記接触面の方向が相互反対方向となるように結合される２個の端子片からなる、請求項３に記載の車両用ランプ。
【請求項１５】
前記レンズはフックを含む、請求項１に記載の車両用ランプ。
【請求項１６】
少なくとも二つの前記フックは前記レンズの中心を基準として対称となるように配置される、請求項１５に記載の車両用ランプ。
【請求項１７】
前記フックは前記ハウジングに形成されたフック溝に挿入される、請求項１５に記載の車両用ランプ。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
ピクチャのシーケンスを処理する方法であって、第１のカラーボリュームにおいて表される値を有する、前記ピクチャのシーケンスの第１のカラーグレーディングされたバージョンと、第２のカラーボリュームにおいて表される値を有する、前記ピクチャのシーケンスの第２のカラーグレーディングされたバージョンとの間のカラーマッピングを推定することを有する前記方法において、
第１のコンポジットピクチャのコンテンツが、前記ピクチャのシーケンスの前記第１のカラーグレーディングされたバージョンにおいて決定された時刻に時間的に位置する少なくとも２つのピクチャの夫々のコンテンツの少なくとも部分を有するように、前記ピクチャのシーケンスの前記第１のカラーグレーディングされたバージョンの当該少なくとも２つのピクチャをアセンブルすることによって、前記第１のコンポジットピクチャを取得し、第２のコンポジットピクチャのコンテンツが、同じ前記決定された時刻に前記ピクチャのシーケンスの前記第２のカラーグレーディングされたバージョンにおいて時間的に位置する少なくとも２つのピクチャの夫々のコンテンツの少なくとも部分を有するように、前記ピクチャのシーケンスの前記第２のカラーグレーディングされたバージョンの当該少なくとも２つのピクチャをアセンブルことによって、前記第２のコンポジットピクチャを取得することと、
前記第１のコンポジットピクチャの色値を前記第２のコンポジットピクチャの色値にマッピングするカラーマッピング関数を推定することによって、前記ピクチャのシーケンスの前記第１のカラーグレーディングされたバージョン及び前記第２のカラーグレーディングされたバージョンの間の前記カラーマッピングを推定することと
を有することを特徴とする方法。
【請求項２】
前記時刻は、前記ピクチャが同じ場面ショットに属するように決定される、
請求項１に記載の方法。
【請求項３】
前記時刻のうちの一部は同一である、
請求項２に記載の方法。
【請求項４】
前記第２のカラーグレーディングされたバージョンのピクチャは、結合される前にクリッピングされる、
請求項１乃至３のうちいずれか一項に記載の方法。
【請求項５】
当該方法は、前記第１のコンポジットピクチャ及び前記第２のコンポジットピクチャを取得することの前に、前記ピクチャのシーケンスの前記第１のカラーグレーディングされたバージョン及び前記第２のカラーグレーディングされたバージョンにおいて前記決定された時刻にあるピクチャをダウンサンプリングすることを更に有する、
請求項１乃至４のうちいずれか一項に記載の方法。
【請求項６】
前記カラーマッピング関数の推定は、基準が達せられるまで繰り返し求められる、
請求項１乃至５のうちいずれか一項に記載の方法。
【請求項７】
前記カラーマッピング関数は２つの色変換を有し、前記カラーマッピング関数の推定は、
ａ）繰り返しｋ−１で推定された第１の色変換を前記第１のコンポジットピクチャの色値に適用することによって第３組の色値を取得することと、
ｂ）前記第２のコンポジットピクチャの色値を前記第３組の色値にマッピングすることによって第３の色変換を推定することと、
ｃ）前記第３の色変換を前記第２のコンポジットピクチャの色値に適用することによって第４組の色値を取得することと、
ｄ）前記第１のコンポジットピクチャの色値を前記第４組の色値にマッピングすることによって第１の色変換を推定することであり、該第１の色変換は前記繰り返しｋ−１で推定された第１の色変換を更新するために使用される、ことと、
ｅ）前記第１の色変換を前記第１のコンポジットピクチャの色値に適用することによって第５組の色値を取得することと、
ｆ）前記第５組の色値を前記第２のコンポジットピクチャの色値にマッピングすることによって第２の色変換を推定することと
によって、繰り返しｋで取得される、請求項６に記載の方法。
【請求項８】
前記カラーマッピング関数は、三次元ルックアップテーブルによって近似される、
請求項１乃至７のうちいずれか一項に記載の方法。
【請求項９】
前記カラーマッピング関数は少なくとも１つの色変換を有し、該少なくとも１つの色変換は、一次元区分線形関数によって近似される、
請求項１乃至５のうちいずれか一項に記載の方法。
【請求項１０】
前記カラーマッピング関数は少なくとも１つの色変換を有し、該少なくとも１つの色変換は、一次元ルックアップテーブルによって近似される、
請求項１乃至５のうちいずれか一項に記載の方法。
【請求項１１】
前記カラーマッピング関数は少なくとも１つの色変換を有し、該少なくとも１つの色変換は、線形行列によって近似される、
請求項１乃至５のうちいずれか一項に記載の方法。
【請求項１２】
ピクチャのシーケンスを処理するデバイスであって、第１のカラーボリュームにおいて表される値を有する、前記ピクチャのシーケンスの第１のカラーグレーディングされたバージョンと、第２のカラーボリュームにおいて表される値を有する、前記ピクチャのシーケンスの第２のカラーグレーディングされたバージョンとの間のカラーマッピングを推定するよう構成されるプロセッサを有する前記デバイスにおいて、
前記プロセッサは、
第１のコンポジットピクチャのコンテンツが、前記ピクチャのシーケンスの前記第１のカラーグレーディングされたバージョンにおいて決定された時刻に時間的に位置する少なくとも２つのピクチャの夫々のコンテンツの少なくとも部分を有するように、前記ピクチャのシーケンスの前記第１のカラーグレーディングされたバージョンの当該少なくとも２つのピクチャをアセンブルすることによって、前記第１のコンポジットピクチャを取得し、第２のコンポジットピクチャのコンテンツが、同じ前記決定された時刻に前記ピクチャのシーケンスの前記第２のカラーグレーディングされたバージョンにおいて時間的に位置する少なくとも２つのピクチャの夫々のコンテンツの少なくとも部分を有するように、前記ピクチャのシーケンスの前記第２のカラーグレーディングされたバージョンの当該少なくとも２つのピクチャをアセンブルことによって、前記第２のコンポジットピクチャを取得し、
前記第１のコンポジットピクチャの色値を前記第２のコンポジットピクチャの色値にマッピングするカラーマッピング関数を推定することによって、前記ピクチャのシーケンスの前記第１のカラーグレーディングされたバージョン及び前記第２のカラーグレーディングされたバージョンの間の前記カラーマッピングを推定する
よう更に構成される、ことを特徴とするデバイス。
【請求項１３】
コンピュータで実行される場合に、請求項１乃至１１のうちいずれか一項に記載の方法のステップを実行するプログラムコード命令を含むコンピュータプログラム。
【請求項１４】
コンピュータデバイスで実行される場合に、請求項１乃至１１のうちいずれか一項に記載の方法のステップを実行するプログラムコードの命令を担持する非一時的な記憶媒体。
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
スケジューリングエンティティによって実行されるワイヤレス通信の方法であって、
畳み込みコーディングまたはターボコーディングを使用して複数の物理リンクにわたって制御情報を結合符号化するステップと、
符号化された制御情報の一部を前記複数の物理リンクのそれぞれに割り振るステップと、
第1の送信時間間隔(TTI)を使用してデータを送信するステップと、
前記第1のTTIより短い期間であり、かつ前記第1のTTIの一部に重なる、第2のTTIを利用して、前記複数の物理リンクのそれぞれにおいて前記符号化された制御情報を送信するステップとを含む、方法。
【請求項２】
前記複数の物理リンクのそれぞれにおいてデータ情報を送信するステップをさらに含む、請求項1に記載の方法。
【請求項３】
前記符号化された制御情報を前記複数の物理リンクのそれぞれにおいて実質的に同時に送信するステップをさらに含む、請求項1に記載の方法。
【請求項４】
前記複数の物理リンクは、2つ以上の無線アクセス技術に対応する、請求項1に記載の方法。
【請求項５】
前記複数の物理リンクは、異なる帯域内の物理チャネルに対応する、請求項1に記載の方法。
【請求項６】
前記複数の物理リンクは複数の多入力多出力(MIMO)構成に対応する、請求項1に記載の方法。
【請求項７】
前記複数の物理リンクの1つまたは複数の特性を決定するステップと、
前記決定された特性に従って、前記複数の物理リンクの中から1つまたは複数の物理リンクを選択するステップとを含み、
前記送信するステップが、前記選択された1つまたは複数の物理リンクにおいて制御情報を送信するステップを含む、請求項1に記載の方法。
【請求項８】
1つまたは複数の物理リンクを前記選択するステップは、前記1つまたは複数の物理リンクを識別する指示を1つまたは複数の従属エンティティから受信するステップを含む、請求項7に記載の方法。
【請求項９】
前記複数の物理リンクのそれぞれにおいてデータ情報を送信するステップをさらに含む、請求項7に記載の方法。
【請求項１０】
前記複数の物理リンクのうちの第1の物理リンクは第1のユーザとのリンクであり、前記複数の物理リンクのうちの第2の物理リンクは第2のユーザとのリンクであり、
1つまたは複数の物理リンクを前記選択するステップは、前記第1のユーザのために前記第1の物理リンクを選択するステップと、前記第2のユーザのために前記第2の物理リンクを選択するステップとを含み、
制御情報を前記送信するステップは、前記選択された第1の物理リンクにおいて前記第1のユーザのための第1の制御情報を送信するステップと、前記選択された第2の物理リンクにおいて前記第2のユーザのための第2の制御情報を送信するステップとを含む、請求項7に記載の方法。
【請求項１１】
ワイヤレス通信のために構成されるスケジューリングエンティティであって、
畳み込みコーディングまたはターボコーディングを使用して複数の物理リンクにわたって制御情報を結合符号化するための手段と、
前記符号化された制御情報の一部を前記複数の物理リンクのそれぞれに割り振るための手段と、
第1の送信時間間隔(TTI)を使用してデータを送信するための手段と、
前記第1のTTIより短い期間であり、かつ前記第1のTTIの一部に重なる、第2のTTIを利用して、前記符号化された制御情報を前記複数の物理リンクのそれぞれにおいて送信するための手段とを備える、スケジューリングエンティティ。
【請求項１２】
前記複数の物理リンクの1つまたは複数の特性を決定するための手段と、
前記決定された特性に従って、前記複数の物理リンクの中から1つまたは複数の物理リンクを選択するための手段とをさらに備え、
前記送信するための手段が、前記少なくとも1つのトランシーバを利用して前記選択された1つまたは複数の物理リンクにおいて制御情報を送信するように構成される、請求項１０に記載のスケジューリングエンティティ。
【請求項１３】
コンピュータによる実行時に、請求項１〜１０のいずれか一項に記載の方法を前記コンピュータに実行させる命令を記録するコンピュータ可読記憶媒体。